(57)【特許請求の範囲】
【請求項１】
軸部の先端側の周面にブラシ毛を付設している洗浄ブラシの基端側の軸部を挿入して固定するピンバイスを備えている洗浄ブラシ用の小型電動機であって、ピンバイスにおける洗浄ブラシの軸部の取り付け部に、洗浄ブラシの軸部に沿う複数の保持杆を備え、
ピンバイスの先端部に、複数の保持杆を備えている被覆筒体を装着していることを特徴とする洗浄ブラシ用の小型電動機。
【請求項２】
複数の保持杆の先端側部分は、洗浄ブラシのブラシ毛を付設している部分の軸部に当接又は近接するように配置されている請求項１に記載の洗浄ブラシ用の小型電動機。
【請求項３】
複数の保持杆の先端側部分は、洗浄ブラシのブラシ毛を付設している部分の軸部を囲繞するように配置されている請求項１または２に記載の洗浄ブラシ用の小型電動機。
【発明の詳細な説明】
【技術分野】
【０００１】
本発明は、試験管等の細長い形状の容器の中に洗浄ブラシを挿入し、この洗浄ブラシを回転させることにより、容器を破損することなく容器内をきれいに洗浄することのできる、洗浄ブラシ用の小型電動機に関するものである。
【背景技術】
【０００２】
従来より、洗浄ブラシ用の小型電動機として、種々の構造のものが提案されている。
【０００３】
この洗浄ブラシ用の小型電動機２００は、例えば、図１１（ａ）に示すように、軸部１００の先端側の周面にブラシ毛１０１を付設している洗浄ブラシ１０２を取り付けて回転させるものである。
【０００４】
具体的には、小型電動機２００は、図１１（ｂ）に示すように、自身が備えている所定の回転部１０４に、洗浄ブラシ１０２の基端側の軸部１００を挿入して固定している。そして、試験管等の細長い形状の容器の中に洗浄ブラシ１０２を挿入した状態で、小型電動機２００の回転部１０４を回転させ、容器内において洗浄ブラシ１０２を回転させて容器内をきれいに洗浄している。
【０００５】
また、一般的な食器洗い機として、例えば、特許文献１に示すものが存在している。
【０００６】
この食器洗い機は、ケース内部に配設されたモータと、モータの回転に連動して回転する洗い部材を備えたものにおいて、前記洗い部材はマグネットを介してモータの駆動軸に着脱自在に装着すると共に、ケースの下端面には吸盤が取り付けられている。
【０００７】
さらに、一般的なブレンダとして、例えば、特許文献２に示すものが存在している。
【０００８】
このブレンダは、本体部と本体部の先端に着脱自在に設けたアタッチメントとを備え、前記本体部は、モータと、モータの駆動源である電源回路と、前記モータのモータ軸に接続した調速器と、調速器の出力である出力軸と、この出力軸に接続した本体側ジョイントと、アタッチメントを係止するための本体側係止部とを備え、前記アタッチメントは、前記本体側係止部に係止されるアタッチメント側係止部と、アタッチメント側係止部と一体に形成した、一端に前記本体側ジョイントに取り外し自在に連結するアタッチメント側ジョイントを固着し、他端には一端を支持体によって支持され他端は弾性体によって本体部側に付勢されている矩形断面としたスライドレールを取り付けた回転軸と、スライドレール上をスライドしかつ回転軸と共に回転するスライダと、スライダに接続したブラシを有するブラシ体とを備えている。
【先行技術文献】
【特許文献】
【０００９】
【特許文献１】実開昭５６−２３０５７号公報
【特許文献２】特開平８−１０３７４４号公報
【発明の概要】
【発明が解決しようとする課題】
【００１０】
しかしながら、上記した図１１（ａ）（ｂ）に示す洗浄ブラシ用の小型電動機２００と、特許文献１に示す食器洗い機においては、以下のような弊害が生じている。
【００１１】
例えば、小型電動機２００を作動させて洗浄ブラシ１０２を回転させたとき、図１１（ｃ）に示すように、軸部１００のブラシ毛１０１を付設している部分が比較的に大きい幅で遥動したり、軸部１００の全体が振動してしまう事態が生じていた。
【００１２】
この様な現象が生じる原因としては、洗浄ブラシ１０２に何らかの偏心荷重が作用することや、軸部１００が所定の針金を螺旋状に捩じり合わせて形成され、軸部１００全体の強度が不足していること等が予想される。
【００１３】
そして、洗浄ブラシ１０２を回転させて、図１１（ｃ）に示すように、軸部１００のブラシ毛１０１を付設している部分が比較的に大きい幅で遥動したり、軸部１００の全体が振動している状態では、試験管等の細長い形状の容器の中に洗浄ブラシ１０２を挿入することができなかった。
【００１４】
また、試験管等の細長い形状の容器の中に洗浄ブラシ１０２を挿入してから、この洗浄ブラシ１０２を回転させると、遥動しようとするブラシ毛１０１が容器の内壁に強く当たって、容器を破損させてしまう事態も生じていた。
【００１５】
この他、特許文献２に示すブレンダにおいては、ブラシ体の部分が所定の強度を有することから、ブラシ毛を植設している部分が遥動してしまう事態の発生は回避できるものと予想される。
【００１６】
しかしながら、ブラシ体の部分は、スライドレールと、スライドレール上を自由にスライドするスライダ（本体部側の端部には弾性体を、他端には支持体を設けている）を備え、このスライダに、一端を前記支持体に接続したワイヤにナイロン等のブラシ毛を植設してブラシ体を形成していることから、その構成が非常に複雑であり、製品自体の製造コストが高くなり易かった。
【００１７】
そこで、本発明は如上のような従来存した諸事情に鑑み創出されたもので、小型電動機の回転部に、洗浄ブラシの軸部に沿う複数の保持杆を設けることにより、洗浄ブラシを回転させたときに軸部のブラシ毛を付設している部分が大きい幅で遥動したり、軸部の全体が振動してしまう事態の発生を防止し、容器を破損することなく容器内をきれいに洗浄することのできる、洗浄ブラシ用の小型電動機を提供することを目的とする。
【課題を解決するための手段】
【００１９】
本発明は、軸部の先端側の周面にブラシ毛を付設している洗浄ブラシの基端側の軸部を挿入して固定するピンバイスを備えている洗浄ブラシ用の小型電動機であって、ピンバイスにおける洗浄ブラシの軸部の取り付け部に、洗浄ブラシの軸部に沿う複数の保持杆を備え、ピンバイスの先端部に、複数の保持杆を備えている被覆筒体を装着していることで、上述した課題を解決した。
【００２０】
さらに、複数の保持杆の先端側部分は、洗浄ブラシのブラシ毛を付設している部分の軸部に当接又は近接するように配置されていることで、同じく上述した課題を解決した。
【００２１】
また、複数の回転保持杆の先端側部分は、洗浄ブラシのブラシ毛を付設している部分の軸部を囲繞するように配置されていることで、同じく上述した課題を解決した。
【発明の効果】
【００２４】
本発明は、軸部の先端側の周面にブラシ毛を付設している洗浄ブラシの基端側の軸部を挿入して固定するピンバイスを備えている洗浄ブラシ用の小型電動機であって、ピンバイスにおける洗浄ブラシの軸部の取り付け部に、洗浄ブラシの軸部に沿う複数の保持杆を備えていることから、洗浄ブラシを回転させたときに軸部のブラシ毛を付設している部分が大きい幅で遥動したり、軸部の全体が振動してしまう事態の発生を確実に防止できる。
加えて、ピンバイスの先端部に、複数の保持杆を備えている被覆筒体を装着していることから、ピンバイスの先端部に、複数の保持杆を容易に配置することができる。
【００２５】
具体的には、複数の保持杆の先端側部分は、洗浄ブラシのブラシ毛を付設している部分の軸部に当接又は近接するように配置されていることから、回転時に洗浄ブラシに何らかの偏心荷重が作用した場合であっても、複数の保持杆が軸部の遥動を抑制するのである。
【００２６】
また、複数の回転保持杆の先端側部分は、洗浄ブラシのブラシ毛を付設している部分の軸部を囲繞するように配置されていることから、この様な複数の保持杆により、軸部の遥動を抑制すると共に、軸部の全体が振動してしまう事態の発生も防止できるのである。
【００２７】
更に、複数の保持杆により軸部の遥動を抑制することから、構成が比較的にシンプルであり、製品の製造コストを低く抑えることもできる。
【図面の簡単な説明】
【００２９】
【図１】回転部に複数の保持杆を備えている小型電動機の構成を示す斜視図である。
【図２】複数の保持杆を備えているピンバイスを有する小型電動機の構成を示す分解斜視図である。
【図３】複数の保持杆を備えているピンバイスを有する小型電動機の構成を示す斜視図である。
【図４】ピンバイスに複数の保持杆を配置している状態を示す斜視図である。
【図５】ピンバイスの構成を示すもので、（ａ）はピンバイスの先端部に、複数の保持杆を備えている被覆筒体を装着する状態を示す分解斜視図、（ｂ）は複数の保持杆を備えている被覆筒体の断面図である。
【図６】洗浄ブラシの軸部に沿う複数の保持杆の配置状態を示す拡大斜視図である。
【図７】ピンバイスに複数の保持杆を配置している状態を示すもので、（ａ）はピンバイスに洗浄ブラシの軸部を取り付けていない状態の拡大斜視図、（ｂ）はピンバイスに洗浄ブラシの軸部を取り付けている状態の拡大斜視図である。
【図８】ピンバイスに複数の保持杆を配置している他の構成を示す斜視図である。
【図９】ピンバイスに複数の保持杆を配置している他の構成を示す斜視図である。
【図１０】ピンバイスに複数の保持杆を配置する他の構成を示すもので、（ａ）は複数の保持杆を配置している被覆筒体をピンバイスに取り付ける状態を示す分解斜視図、（ｂ）は複数の保持杆を配置している被覆筒体をピンバイスに取り付けた状態を示す斜視図である。
【図１１】従来の洗浄ブラシ用の小型電動機の構成示すもので、（ａ）は洗浄ブラシを小型電動機に取り付ける状態を示す分解斜視図、（ｂ）は洗浄ブラシを小型電動機に取り付けた状態を示す斜視図、（ｃ）は洗浄ブラシを回転させたとき、軸部のブラシ毛を付設している部分が比較的に大きい幅で遥動し、且つ、軸部の全体が振動している状態を示す斜視図である。
【発明を実施するための形態】
【００３０】
以下に、図面を参照して、本発明を実施するための形態を詳細に説明する。
【００３１】
本発明に係る洗浄ブラシ用の小型電動機１は、図１に示すように、軸部１００の先端側の周面にブラシ毛１０１を付設している洗浄ブラシ１０２を取り付けて回転させるものである。
【００３２】
そして、洗浄ブラシ１０２の基端側の軸部１００を挿入して固定する小型電動機１の回転部２に、洗浄ブラシ１０２の軸部１００に沿う複数の保持杆３を備えている。この回転部２への保持杆３の固定は、どの様な手段や固定措置を用いても良い。
【００３３】
また、本発明に係る洗浄ブラシ用の小型電動機１は、図２・図３に示すように、軸部１００の先端側の周面にブラシ毛１０１を付設している洗浄ブラシ１０２の基端側の軸部１００を挿入して固定するピンバイス４を備えているものであっても良い。
【００３４】
このピンバイス４における洗浄ブラシ１０２の軸部１００の取り付け部５に、洗浄ブラシ１０２の軸部１００に沿う複数の保持杆３を備えている。
【００３５】
小型電動機１自体は、図２に示すように、先端部に所定の回転部２を備えている。この回転部２は、内蔵しているモータの駆動により回転するもので、中心部に、例えば、六角形状の孔６を備えている。
【００３６】
回転部２の孔６は、後述するピンバイス４の基端部に位置している六角柱状の設続片７を挿入した状態で、所定のリング部材の締め付けにより、ピンバイス４の設続片７を固定する部分である。また、小型電動機１は、所定のスイッチ１３を備えている。このスイッチ１３は、回転部２を回転させるモータの駆動・停止を操作するものである。
【００３７】
尚、小型電動機１の形態は、図１・図２に示すものに限定されることはなく、例えば、モータの駆動により回転する回転部２と、所定のスイッチ１３等を備えているものであれば、どのような形態であっても差し支えない。
【００３８】
複数の保持杆３を備えているピンバイス４は、図４に示すように、全体として所定の長さの略円柱状に形成されている。このピンバイス４は、図５（ａ）に示すように、円柱状本体部Ａと、円柱状本体部Ａの先端部に装着するキャップ部Ｂにより構成されている。
【００３９】
このピンバイス４の円柱状本体部Ａは、図５（ａ）に示すように、その基端部に六角柱状の設続片７を２個連設している。また、円柱状本体部Ａは、設続片７に隣接するように円柱状の滑り止め部分８を備えている。この滑り止め部分８から先端部にかけて、所定の長さの雄ネジ部分１４と、洗浄ブラシ１０２の軸部１００を挿入して固定する挿入部１２を連設している。
【００４０】
この挿入部１２は、図５（ａ）に示すように、所定の長さの円柱を、その長手方向に沿うように十字状に４分割して形成されている。また、挿入部１２の先端部側は、その外周面が先細り状となるように傾斜している。
【００４１】
また、ピンバイス４のキャップ部Ｂは、図４・図５（ａ）に示すように、挿入部１２の側面全体を覆うように配置する回転円筒部９により構成されている。この回転円筒部９は、図５（ｂ）に示すように、先端部及び基端部が開放されており、基端部側の内周面に雌ネジ部分１５を設けている。この回転円筒部９の雌ネジ部分１５は、円柱状本体部Ａの雄ネジ部分１４に螺合する部分である。
【００４２】
更に、回転円筒部９の先端部側は、図５（ａ）に示すように、その外周面が先細り状となるように傾斜している。同様に、図５（ｂ）に示すように、回転円筒部９の先端部側における内周面も、先細り状となるように傾斜している。また、回転円筒部９の先端部においては、円環板１０を介して開口部１１を設けている。
【００４３】
そして、ピンバイス４においては、図４に示すように、円柱状本体部Ａの雄ネジ部分１４に、回転円筒部９の雌ネジ部分１５を螺合させて、円柱状本体部Ａの挿入部１２に、キャップ部Ｂである回転円筒部９を装着した状態において、回転円筒部９の円環板１０を含むその周囲部分と、回転円筒部９の開口部１１に出現している挿入部１２の先端部分を、洗浄ブラシ１０２の軸部１００の取り付け部５としている。
【００４４】
このピンバイス４においては、図２・図４に示すように、回転円筒部９の円環板１０に、例えば、４本の保持杆３を設けている。これらの保持杆３は、ピンバイス４の長手方向に沿うように、回転円筒部９の円環板１０に立設状に固定されている。また、４本の保持杆３は、先端部に行くに従い、互いの間隔が狭くなるように配置されている。
【００４５】
そして、図２・図３に示すように、小型電動機１の回転部２に、ピンバイス４の設続片７を取り付けた状態において、ピンバイス４を構成する回転円筒部９の開口部１１に出現している挿入部１２に、洗浄ブラシ１０２の基端側の軸部１００を挿入して固定する。
【００４６】
このとき、４本の保持杆３の先端側部分は、図３に示すように、洗浄ブラシ１０２のブラシ毛１０１の中に挿入された状態となっている。
【００４７】
具体的には、図６に示すように、４本の保持杆３の先端側部分は、洗浄ブラシ１０２のブラシ毛１０１を付設している部分の軸部１００に当接又は近接するように配置されている。また、４本の保持杆３の先端側部分は、洗浄ブラシ１０２のブラシ毛１０１を付設している部分の軸部１００を囲繞するように配置されている。
【００４８】
ピンバイス４を構成する回転円筒部９の開口部１１に出現している挿入部１２に、洗浄ブラシ１０２の軸部１００を挿入して固定するときは、まず、図７（ａ）に示すように、回転円筒部９の開口部１１の奥側に挿入部１２の先端部が位置するようにしておく。
【００４９】
このとき、４分割して形成されている挿入部１２の中央部分の隙間が、若干拡がった状態となっている。この中央部分における隙間に、洗浄ブラシ１０２の軸部１００を挿入する。次に、図７（ｂ）に示すように、回転円筒部９を回転させることにより、回転円筒部９を小型電動機１側に若干移動させ、回転円筒部９の開口部１１に挿入部１２の先端部が位置するようにする。
【００５０】
このとき、先細り状となるように傾斜している回転円筒部９の内周面に、挿入部１２の外周面が摺接して、挿入部１２の中央部分の隙間が狭められ、ピンバイス４を構成する回転円筒部９の開口部１１に出現している挿入部１２に、洗浄ブラシ１０２の軸部１００が固定される。
【００５１】
尚、図４・図７（ａ）（ｂ）に示すピンバイス４の取り付け部５においては、回転円筒部９の円環板１０に４本の保持杆３を設けているが、これに限定されることはなく、図８に示すように、回転円筒部９の開口部１１に出現している挿入部１２に、４本の保持杆３を設けても良い。
【００５２】
回転円筒部９の円環板１０への保持杆３の固定は、例えば、保持杆３の基端側部分が、円環板１０を貫通した状態で、固定されるものであっても良い。また、回転円筒部９の傾斜している外周面に、４本の保持杆３の基端側部分を固定するものであっても良い。
【００５３】
この他、図８に示す挿入部１２への保持杆３の固定は、例えば、保持杆３の基端側部分が、挿入部１２の長手方向に沿うように埋没した状態で、固定されるものであっても良い。
【００５４】
更に、図４・図７（ａ）（ｂ）に示すピンバイス４の取り付け部５においては、４本の保持杆３を設けているが、これに限定されることはなく、図９に示すように、回転円筒部９の開口部１１に出現している挿入部１２に、３本の保持杆３を設けても良い。このとき、挿入部１２は、所定の長さの円柱を３分割し、３本の保持杆３を固定するのである。
【００５５】
勿論、回転円筒部９の円環板１０や、回転円筒部９の開口部１１に出現している挿入部１２に、５本又は６本以上の保持杆３を設けても良い。このとき、挿入部１２は、所定の長さの円柱を５分割し、５本の保持杆３を固定するのである。また、挿入部１２は、所定の長さの円柱を６分割し、６本の保持杆３を固定するものであっても良い。
【００５６】
この他、図１０（ａ）（ｂ）に示すように、被覆筒体２０を介して、複数の保持杆３をピンバイス４に取り付けても良い。
【００５７】
この被覆筒体２０は、図１０（ａ）に示すように、ピンバイス４における回転円筒部９に装着するものである。具体的には、所定の長さの円筒部２１と、この円筒部２１の端部に連設した傾斜状円筒部２２により被覆筒体２０が構成されており、傾斜状円筒部２２の周面に、例えば、４本の保持杆３が等間隔に固定されている。また、円筒部２１と傾斜状円筒部２２の両端部は、いずれも開放されている。
【００５８】
そして、図１０（ｂ）に示すように、ピンバイス４の回転円筒部９に被覆筒体２０を装着し、傾斜状円筒部２２の開放している部分に、回転円筒部９の円環板１０と、ピンバイス４の挿入部１２を配置し、この状態で挿入部１２に、洗浄ブラシ１０２の軸部１００を挿入して固定するのである。
【００５９】
この他にも、例えば、図１に示すタイプの小型電動機１において、自身が備えている回転部２に、複数の保持杆３が固定されている被覆筒体２０を装着するものであっても良い。
【００６０】
尚、本発明は、前記した実施の形態に限定されるものではなく、本発明の目的を達成できる範囲での改良・変形等は、本発明に全て包含されるものである。
【産業上の利用可能性】
【００６１】
本発明は、試験管等の細長い形状の容器の中に洗浄ブラシを挿入し、この洗浄ブラシを回転させて容器を破損することなく洗浄する際に使用される以外に、例えば、軸部のブラシ毛を付設している部分が大きい幅で遥動したり、軸部の全体が振動してしまう事態の発生を確実に防止するものとして、様々な分野において幅広く利用することができる。
【符号の説明】
【００６２】
１００…軸部
１０１…ブラシ毛
１０２…洗浄ブラシ
１０４…回転部
２００…小型電動機
１…小型電動機
２…回転部
３…保持杆
４…ピンバイス
５…取り付け部
６…孔
７…設続片
８…滑り止め部分
９…回転円筒部
１０…円環板
１１…開口部
１２…挿入部
１３…スイッチ
１４…雄ネジ部分
１５…雌ネジ部分
２０…被覆筒体
２１…円筒部
２２…傾斜状円筒部
Ａ…円柱状本体部
Ｂ…キャップ部
【図１】
0005409725.tif 000002
【図２】
0005409725.tif 000003
【図３】
0005409725.tif 000004
【図４】
0005409725.tif 000005
【図５】
0005409725.tif 000006
【図６】
0005409725.tif 000007
【図７】
0005409725.tif 000008
【図８】
0005409725.tif 000009
【図９】
0005409725.tif 000010
【図１０】
0005409725.tif 000011
【図１１】
0005409725.tif 000012